(57)【要約】【課題】番組の録画予約に画像情報、音声情報を用いて番組の予約録画を行うことで、より簡易で且つ確実な録画予約を提供すること。【解決手段】番組のタイトル画面、キャラクターの画像情報、又は歌手の声の音声情報をメモリに予め保存しておき、これらを用いて予約設定することによって、その画像、音声情報が現れた場合に録画を開始する。番組が始まる時に表示されるタイトル画面を保存しておき、これを用いて録画予約を行い、放送される番組を参照して予約設定されたタイトル画面が現れたところから録画を開始することによって急な番組開始時間の変更や番組中止が生じた場合でも、確実に番組の開始から録画を行うことができる。また、キャラクタ画像を保存し、放送番組を参照して予約設定されたキャラクタが現れたところから録画を開始することによってそのキャラクターが出演している番組を漏れなく録画することができる。【選択図】図１
2005065039.tif 000002
【特許請求の範囲】
【請求項１】
放送の番組を予約録画することのできる記録再生装置において、  
前記放送のデータを記録する記録手段と、
前記放送データに関する検索情報を入力する入力手段と、
前記検索情報を記憶する記憶手段と、
前記放送データを認識処理する認識処理手段と、
前記記憶手段から読み出された検索情報と前記認識処理手段からの放送データとを比較する比較手段と、
前記比較手段の比較結果により前記放送データを前記記録手段に記録開始するか否かを決める決定手段と、を備える
ことを特徴とする記録再生装置。
【請求項２】
請求項１において、
前記記憶手段から読み出された検索情報は画像情報であり、
前記認識処理手段からの放送データは、前記認識処理手段で画像認識処理された画像データであり、
前記比較手段は前記画像情報と前記画像データを比較する
ことを特徴とする記録再生装置。
【請求項３】
請求項１において、
前記記憶手段から読み出された検索情報は音声情報であり、
前記認識処理手段からの放送データは、前記認識処理手段で音声認識処理された音声データであり、
前記比較手段は前記音声情報と前記音声データを比較する
ことを特徴とする記録再生装置。
【請求項４】
請求項１において、
前記記憶手段から読み出された検索情報は複数の画像情報であり、
前記認識処理手段からの放送データは、前記認識処理手段で画像認識処理された画像データであり、
前記比較手段は前記画像データと前記複数の画像情報のすべてとの一致又は近似を比較し、
前記決定手段は前記比較手段で前記すべてとの一致又は近似の場合に前記放送データを前記記録手段に記録開始することを決定する
ことを特徴とする記録再生装置。
【請求項５】
請求項１において、
前記記憶手段から読み出された検索情報は複数の音声情報であり、
前記認識処理手段からの放送データは、前記認識処理手段で音声認識処理された音声データであり、
前記比較手段は前記音声データと前記複数の音声情報のすべてとの一致又は近似を比較し、
前記決定手段は前記比較手段で前記すべてとの一致又は近似の場合に前記放送データを前記記録手段に記録開始することを決定する
ことを特徴とする記録再生装置。
【請求項６】
請求項１において、
前記記憶手段から読み出された検索情報は画像情報と音声情報からなる組み合わせ情報であり、
前記認識処理手段からの放送データは、前記認識処理手段で画像認識処理された画像データ及び音声認識処理された音声データであり、
前記比較手段は前記組み合わせ情報と前記画像データ及び音声データとを比較し、
前記決定手段は前記比較手段で前記組み合わせ情報と前記画像データ及び音声データとがすべて一致又は近似の場合に前記放送データを前記記録手段に記録開始することを決定する
ことを特徴とする記録再生装置。
【請求項７】
請求項１乃至６のいずれか１つの請求項において、
前記記憶手段は前記記録再生装置に着脱自在なメモリであることを特徴とする記録再生装置。
【請求項８】
請求項１乃至６のいずれか１つの請求項において、
外部のパソコン又はデジタルカメラ又はインターネットから前記検索情報を前記記録再生装置に取り込むことのできる取り込み手段を設けることを特徴とする記録再生装置。
【請求項９】
請求項１乃至６のいずれか１つの請求項において、
前記記録手段に既に記録されたデータから前記検索情報を前記記録再生装置に取り込むことのできる取り込み手段を設けることを特徴とする記録再生装置。
【発明の詳細な説明】
【技術分野】
【０００１】
本発明は、光ディスク、光磁気ディスク、磁気テープといった記録再生可能な記録メディアを用いた情報記録再生システムに関し、特に放送番組の録画、録画予約の技術に関する。
【背景技術】
【０００２】
テレビジョン放送やケーブルテレビ（ＣＡＴＶ）などの番組を録画するに当たってユーザーは、伝送されてきた番組のうち好みの番組を印刷された番組表を参照するなどして選択して録画装置を用いて記録媒体等に記録する。番組が放送されている時間にユーザが外出等で録画を行えない場合は、番組が放送されるチャンネル、日時と録画する時間を指定して指定日時に自動的に録画をスタートさせる録画予約を行う。
【０００３】
しかしながら、録画予約を行うには、チャンネルの設定、日時の設定や放送開始時、分、放送終了時、分といった情報を番組表などから読み取ってそれぞれを設定する必要があり、特に複数の番組の録画予約を行う場合は非常に手間がかかるものであった。さらに、数日後に放送される番組の予約などでは予約後の急な番組変更には対応できずに目的の番組を録画できないことがあった。さらに、ケーブルテレビなどの場合ではチャンネル数が多く番組表から好みの番組を探すことは困難であった。
【０００４】
そこで、予約設定の変更の手法として、放送信号のうち使用されていない副画像信号部を利用して番組変更情報を直接送り、予約時間の変更を行う手法が知られている（例えば、特許文献１参照）。これは、転送される放送信号には映像信号、音声信号のほかに字幕などを表示させる副画像情報が含まれており、これを使用しない場合、番組変更情報を副画像情報エリアに入力しておき、これを読み取って予約設定の変更を行う方法である。
【０００５】
また、外部から番組情報あるいは電子番組表といったものを供給し、ユーザはこの番組情報を参照することによって録画予約などを行うという手法が知られている。この番組表は直接番組表において画面表示された番組表の録画予約したい番組の欄に操作部やリモートコントローラなどを用いてカーソルを移動させて実行ボタンを押すなどの方法で予約ができるため、予約設定が容易である。また、特定のジャンルに限定して表示することもできるため、番組の検索が容易になっている。
【０００６】
さらに、録画予約の変更の手法として、番組の変更などが行われた場合には電子番組表乃至番組情報もそれに合わせて更新され、その更新情報が番組情報と共に転送されて録画予約の変更を自動的に行うという手法が知られている（例えば、特許文献２参照）。
【０００７】
また、ＤＶＤなど光ディスク等を用いた録画については、各種情報をディスクに保存し、その情報に従って録画するという公知技術が知られている（例えば、特許文献３参照）。これはディスクにタイトル、監督、出演者、録画日時といった各種情報を保存し、録画を行う際にこれらを参照して録画設定、あるいは予約録画設定を行う。この手法によって情報が保存されているディスクであれば、自分の好みのジャンルや出演者などの番組を容易に検索録画、あるいは録画予約することができる。
【特許文献１】特開平２−２２６０１５１号公報
【特許文献２】特開平９−２０５６２４号公報
【特許文献３】特開平１１−３１２３７９号公報
【発明の開示】
【発明が解決しようとする課題】
【０００８】
しかし、前記特許文献１に示されているような、放送信号のうち使用されていない副画像信号部を利用して番組変更情報を直接送り予約時間の変更を行う手法では副画像信号部が既に使用されていて使えない場合や、緊急の番組変更ではそれに伴った予約変更は困難であった。
【０００９】
また、前記特許文献２の電子番組表を用いた番組予約の手法においても、電子番組表が変更できる範囲での予約設定の変更などはできるが、電子番組表が対応できないような臨機応変な変更、例えばスポーツ中継の大幅延長や緊急なニュースによる番組の中止や時間変更などがあった場合にはそれに伴った予約設定の変更ができなかった。その解決法として録画時間を番組時間変更に応じて自動的に延長させる手法や（例えば、特開２００１−１５５３９３参照）、録画開始、終了時刻にある一定のオフセット（余裕）時間を持たせて予約設定された時間から自動的に録画開始時間を早めたり終了時間を延長するといった手法が挙げられているが、いずれの場合も余分な録画を行う必要が生じ、また確実に目的とする番組の録画ができる方法とはいえない。
【００１０】
また、前記特許文献３のディスクに記録保存された各種情報を参照して録画や予約録画をする手法では、その予約参照情報が記録、保存されたディスクを用いれば検索録画予約ができるが、そのディスクが手元にない場合や新規ディスク、あるいは記録媒体がディスクではなくＶＴＲテープなどのように検索情報を記録しそれを容易に参照できる記録媒体でない場合には各種情報を参照することができず、従来の番組表を用いた録画、予約録画をするという手法を用いる必要があった。
【００１１】
さらに、従来の番組表を用いた予約方法では、番組表に記載された情報、例えば番組名や主演俳優などの情報であればそれを用いて容易に番組を探し出し、録画予約ができるが、それ以外の情報、例えば脇役やキャラクターなど、番組表に記載されていないような情報を目的とした番組録画予約は番組表を用いた予約はできず、番組を一つ一つ見つけ出して時間、開始終了時刻を設定するといった従来の手設定による予約を行う必要があるため手間がかかり、さらにその目的とする情報が出演している番組をすべて網羅することは困難であった。
【００１２】
本発明の目的は、上述したような事情に鑑みなされたものであり、どのような記録媒体においても急な番組の放送時間変更に影響されることなく番組を録画でき、また、目的の情報が番組表に記載されていない場合でも、それが出演している番組をすべて容易に録画、予約できるような記録再生装置を提供することにある。
【課題を解決するための手段】
【００１３】
前記課題を解決するために、本発明は主として次のような構成を採用する。  
放送の番組を予約録画することのできる記録再生装置において、  
前記放送のデータを記録する記録手段と、
前記放送データに関する検索情報を入力する入力手段と、
前記検索情報を記憶する記憶手段と、
前記放送データを認識処理する認識処理手段と、
前記記憶手段から読み出された検索情報と前記認識処理手段からの放送データとを比較する比較手段と、
前記比較手段の比較結果により前記放送データを前記記録手段に記録開始するか否かを決める決定手段と、を備える構成とする。
【００１４】
また、記録再生装置において、前記記憶手段から読み出された検索情報は画像情報であり、前記認識処理手段からの放送データは、前記認識処理手段で画像認識処理された画像データであり、前記比較手段は前記画像情報と前記画像データを比較する構成とする。
【００１５】
また、前記記録再生装置において、前記記憶手段から読み出された検索情報は音声情報であり、前記認識処理手段からの放送データは、前記認識処理手段で音声認識処理された音声データであり、前記比較手段は前記音声情報と前記音声データを比較する構成とする。
【００１６】
また、前記記録再生装置において、前記記憶手段から読み出された検索情報は複数の画像情報であり、前記認識処理手段からの放送データは、前記認識処理手段で画像認識処理された画像データであり、前記比較手段は前記画像データと前記複数の画像情報のすべてとの一致又は近似を比較し、前記決定手段は前記比較手段で前記すべてとの一致又は近似の場合に前記放送データを前記記録手段に記録開始することを決定する構成とする。
【００１７】
また、前記記録再生装置において、前記記憶手段から読み出された検索情報は複数の音声情報であり、前記認識処理手段からの放送データは、前記認識処理手段で音声認識処理された音声データであり、前記比較手段は前記音声データと前記複数の音声情報のすべてとの一致又は近似を比較し、前記決定手段は前記比較手段で前記すべてとの一致又は近似の場合に前記放送データを前記記録手段に記録開始することを決定する構成とする。
【００１８】
また、前記記録再生装置において、前記記憶手段から読み出された検索情報は画像情報と音声情報からなる組み合わせ情報であり、前記認識処理手段からの放送データは、前記認識処理手段で画像認識処理された画像データ及び音声認識処理された音声データであり、前記比較手段は前記組み合わせ情報と前記画像データ及び音声データとを比較し、前記決定手段は前記比較手段で前記組み合わせ情報と前記画像データ及び音声データとがすべて一致又は近似の場合に前記放送データを前記記録手段に記録開始することを決定する構成とする。
【００１９】
このような構成を採用することによって、本発明では急な番組の放送時間変更に影響されることなく番組を録画でき、また、目的の情報が番組表に記載されていない場合でもそれが出演している番組をすべて容易に録画、予約録画することができる。
【発明の効果】
【００２０】
本発明によると、内蔵メモリに予約検索情報を入力し保存して、入力される情報を画像、音声認識分析処理等を行い、前記予約検索情報と比較して記録メディアへの記録開始手段として使用することで、ユーザにとってより簡易で且つ確実な録画予約と目的の出演者、キャラクタが出演している番組の把握が可能となり、従来にない予約と録画方法をユーザに提供することができる。
【発明を実施するための最良の形態】
【００２１】
本発明の実施形態に係る記録再生装置について、図１〜図８を参照しながら以下詳細に説明する。図１は本発明の実施形態に係る、画像認識及び／又は音声認識によって録画予約が可能である記録再生装置の内部構成を示すブロック図である。図２は本実施形態に関する検索データ格納のための処理メニュー画面の一例を示す図であり、図３は本実施形態に関する検索データを取り出すためのメニュー画面の一例を示す図であり、図４は本実施形態に関する録画予約をする場合の処理メニュー画面の一例を示す図である。
【００２２】
また、図５は本実施形態に関する録画予約設定入力における画像データのメニュー画面の一例を示す図であり、図６は本実施形態に関する録画予約設定入力における画像データの確認画面の一例を示す図であり、図７は本実施形態に関する録画予約設定入力における設定確認画面の一例を示す図であり、図９は本実施形態に関する録画予約設定入力における音声データのメニュー画面の一例を示す図である。
【００２３】
図１に示す記録再生装置の本体は、ディスクドライブ部１、エンコード部２（記録処理）、デコード部３（再生処理）、マイコン部４（制御）に分かれる。エンコード部２は入力されてくる放送データを所定のフォーマットに変換してディスクに記録できるデータにするブロックで、データインターフェース部５、データエンコード部６、データフォーマッタ部７で構成される。
【００２４】
データインターフェース部５は入力される放送データを画像データ、音声データ等に分割してそれぞれアナログ／ディジタル（Ａ／Ｄ）変換を施し、データエンコード部６に転送する。データエンコード部６はＭＰＥＧ等のデータ圧縮化、パケット化を行い、さらにそれぞれを多重化することで一つのデータストリームとするブロックである。データフォーマッタ部７はエンコードブロック６より転送されてきたデータを誤り訂正符号化（ＥＣＣ）処理、変調処理など所定の信号処理を行い、ディスク記録データフォーマットに変換してディスクドライブ１に転送するブロックである。
【００２５】
ディスクドライブ部１はエンコード部２で処理されたデータをディスクに記録し、またはディスクに記録されたデータを読み出してデコード部３に転送するブロックである。デコード部３はエンコード部２とは逆にディスクに記録されたデータにデフォーマット、デコード処理を施し、さらに画像データについては所定の画像をモニタ等に表示させるように加工して出力するブロックで、データデフォーマッタ部８、データデコード部９、表示設定部１０、再生データ出力インターフェース１１で構成される。
【００２６】
データデフォーマッタ部８はディスクドライブ部１より転送されるデータを所定の復調処理、ＥＣＣ処理を実行してデータデコード部９に転送する。データデコード部９は転送されてきたデータを画像データ、音声データ等に分離して圧縮化、パケット化されているデータをデコードする。表示設定部１０はデコードされたデータに対して加工を行って表示する画像データとするブロックで、主映像に字幕その他の副映像を重ねるなどして出力するブロックである。再生データ出力インターフェース１１では出力された画像、音声などの各データをデジタル・アナログ（Ｄ／Ａ）変換を施し、受像機等の映像出力、スピーカなどの音声出力部に転送される。
【００２７】
マイコン部４は全体の動作制御を行うブロックであり、マイクロコンピュータ（ＭＰＵ）１２、時刻設定部１３、予約設定部１４、表示画像信号処理部１５の他、本発明で用いる画像認識処理部１６、音声認識処理部１７、データ比較認識部１８、および検索データを格納するメモリ１９を備え、それぞれＭＰＵにより動作させる。時刻設定部１３は時刻の設定を行うブロックである。予約設定部１４は各ブロックで設定された予約方法を保存し、予約動作を管理するブロックである。表示画像信号処理部１５は予約や録画などで使用するメニュー画面などのＧＵＩを構成し、制御するブロックである。
【００２８】
続いて、予約から記録に至るまでの内部動作を説明する。本発明の実施形態において、録画予約は通常の開始、終了時刻、チャンネル設定、配信される電子番組表を用いた番組タイトル、出演者等による予約の他、画像認識による予約、音声認識による予約機能を備える。さらにこれらの番組予約のための予約情報を格納する検索データ格納用メモリ１９を備える。
【００２９】
この検索データ格納メモリ１９にはユーザがキー入力部２０を用いて録画予約情報をＭＰＵ１２に直接文字入力することで予約情報を格納することができる。また、例えばパソコンやディジタルカメラ、ビデオカメラなどを接続して外部ドライブとして認識し、そこからの情報を、検索データ入力Ｉ／Ｆ部２１を介してＭＰＵ１２に入力して予約情報として格納することができる。さらにはモデム部２２を用いてインターネットに接続することにより、特定のホームページから画像や音声ファイルをダウンロードして予約情報として格納することができる。さらにはディスクに記録されたデータから音声、画像データを直接取り出してデータを予約情報として格納することができる。また、これらの手法によって格納された画像、音声情報はそれぞれに前述したキー入力によってタイトルをつけて格納することが可能である。
【００３０】
予約の際にはこのメモリから格納された情報を取り出し、予約情報として録画予約設定部１４に転送する。さらにキー入力より指定された情報をＭＰＵ１２が読み取り、これについても録画予約設定部１４に転送する。録画予約設定部１４はその他設定情報とあわせて予約設定を保存し、或いは外部に表示するために表示画像信号処理部１５に転送する。
【００３１】
画像ないし音声情報による予約設定がなされた場合の内部動作について述べる。録画予約設定部１４においては検索する画像、音声データの他に、検索を行う検索時間、検索データが一致乃至近似データが転送された時からの録画時間、その他キーワードなどユーザにより設定されている予約設定が保存されている。このうち検索時間の設定がなされている場合はその期間、されていない場合は常時、入力される放送データをＭＰＵ１２においてモニタする。放送データは画像については画像認識処理部１６、音声については音声認識処理部１７においてデータ処理がなされ、それぞれ処理したデータをデータ比較認識部１８に転送される。予約設定された画像ないし音声データもあらかじめ検索データ格納メモリ１９より取り出して認識処理しておき、その情報をデータ比較認識部１８に保存しておく。
【００３２】
データ比較認識部１８ではこの分析、転送された放送データと分析、保存されている検索データを順次比較していく。これらの比較結果においてデータが一致した場合ないし近似したデータが転送された場合、データ比較認識部１８より記録スタート信号がデータ記録セレクタ２３に転送され、ディスクドライブ１に放送データが転送されるようになり、記録を開始する。即ち、データ比較認識部１８は、マイコン１２の制御に基づいて、放送データをデータ処理１６，１７して転送されてきた放送データと、メモリ１９から取り出した検索データと、を比較する比較機能と、その比較結果によって放送データをディスクドライブ部１に記録開始する記録開始の決定機能と、を備えている。
【００３３】
次に、本発明の実施形態として、ＧＵＩを用いた録画予約の手順について述べる。まず、予約情報として画像、音声情報を内蔵メモリに入力する。図２に検索データ格納のための処理メニュー画面の一例を示す。メニュー画面にはキー入力によって行う文字入力、ディスク情報から取り出すディスクドライブ入力、外部入力から取り出す外部ドライブ入力、およびインターネットなどから取り出すインターネット接続といったメニューがあり、それぞれ目的のメニューを選択する。メニューより選択された入力方法或いはドライブより画像データ、音声データなどの検索データを取り出す。
【００３４】
図３にデータを取り出すメニュー画面の一例を示す。選択されたドライブ内に入っている画像、音声ファイルあるいはデータ、さらにはフォルダが表示され、それぞれを選択することで検索データを取り出し、検索データ格納メモリに格納する。逆にメモリに入力されたデータを削除する場合は図２の「検索情報削除」メニューを選択し、図３と同様のメニュー画面で削除するファイル或いはデータを選択する。
【００３５】
次に、メモリに格納された検索情報を選択することで録画予約を行う。録画予約する場合の処理メニュー画面の一例を図４に示す。予約方法としては従来の番組名、出演者名など予約キーワードを入力するキーワード入力やチャンネル、開始終了時刻、録画時間を設定するメニューに加え、画像を選択して予約する画像予約、音声を選択して予約する音声予約がある。
【００３６】
まず、画像による予約方法について説明する。先の図４の処理メニュー画面で画像予約設定を選択すると、図５に示すように、これまでに検索データ格納メモリ１９に格納した画像データがタイトルと共にサムネイル表示される。格納されているデータが多い場合は図５の前項／次項ボタンで表示を切り替えることができる。予約で使用する画像の選択は画面において直接画像を選択する。画像が選択されたら図６に示すように確認画面に切り替わり、画像選択がなされる。予約設定の確認は図７に示すような各予約設定を表示した画面で確認することができる。
【００３７】
次に、音声による予約方法について説明する。先の図４の処理メニュー画面で音声予約設定を選択すると、図８に示すように、これまで検索データ格納メモリ１９に格納した音声データのタイトルが表示される。タイトルの横にボタンが設けられており、このボタンを選択すると各タイトルに対応した音声がスピーカなどに出力され、どのような音声かを確認することができる。予約で使用する音声の選択はタイトルを選択する。画像予約と同様に図７に示す各予約設定を表示した画面で確認ができる。
【００３８】
画像、音声予約が設定された場合、設定に従って放送データを検索して比較処理を行う。設定されたチャンネルの放送データを常にモニタし、予約設定された画像ないし音声データが見つかったら録画を開始する。録画時間は先に述べた録画時間設定メニューを選択して設定する。
【００３９】
また、先に述べた開始終了時刻、録画時間を設定することで検索比較、録画処理時間を決定できる。この時は検索時間と録画時間をそれぞれ設定する。例えば図７に示すように検索時間３時間、録画時間１時間とした場合には３時間検索比較処理を行い、設定された画像ないし音声が見つかってから１時間録画されることになる。この場合３時間以内に検索データと放送データの分析比較結果が一致として現れなければ録画はされず、検索もストップする。
【００４０】
次に、本発明の実施形態に係る記録再生装置で予約設定を行った場合の例を幾つか述べる。例えば、上記予約設定に目的の番組のタイトル画面を設定したとする。設定された予約時間中放送データを検索し、タイトル画面が放送されたら録画を開始する。タイトル画面であれば番組のスタートである場合が殆どなのでそれ以前の目的でない番組やコマーシャルを録画することがなく、確実に番組の頭から録画が可能である。
【００４１】
また、上記予約設定に人形や着ぐるみ等のキャラクタを設定したとする。放送データを検索し、キャラクタが登場したら録画を開始する。予約設定する際の検索データはこのキャラクタの動きなども想定できるデータ、例えば動画などにする必要がある。あるいは画像認識処理部１６にキャラクタの動作を想定することができる機能を備えても良い。この場合、必ずしも番組の初めから録画ができるわけではないが、キャラクタが出演している番組をすべて録画することができる。また、このようなキャラクタが番組表に記されていることは殆どないため、どのような番組に、あるいはいつ、どのチャンネルで放送されている番組に出演しているかがすべて把握できるため、次からの録画予約データとしても使用することができる。
【００４２】
換言すると、本発明の実施形態では、番組の録画予約に画像情報、音声情報を用いて番組の予約録画を行うことで、ユーザにとってより簡易で且つ確実な録画予約を行うことを目的として、より具体的には、番組のタイトル画面、キャラクターなどの画像情報、あるいは歌手の声などの音声情報を内蔵メモリにあらかじめ保存しておき、それらを用いて予約設定することによって、その画像、音声情報ないしそれに近似した情報が現れた場合に録画を開始する。例えば、番組が始まる時に表示されるタイトル画面を保存しておき、これを用いて録画予約を行い、放送される番組を参照して予約設定されたタイトル画面が現れたところから録画を開始することによって、急な番組開始時間の変更や番組中止が生じた場合でも、確実に番組の開始から録画を行うことができる。また、例えばキャラクタの画像を保存し、放送される番組を参照して予約設定されたキャラクタが現れたところから録画を開始することによって、そのキャラクターが出演している番組を漏れなく録画したい場合に対応することが可能となるものである。
【００４３】
以上説明したように、本発明の実施形態においてさまざまな使い方を用いることで、確実な録画予約と目的の出演者、キャラクタが出演している番組の把握が可能となる。即ち、番組の予約機能に従来使用されていた番組の日時、出演者などの文字情報に加え、画像、音声認識機能を用いて画像、音声データを予約情報として使用することで番組の予約録画を行う。具体的には、番組のタイトル画面、キャラクターなどの画像情報、あるいは歌手の声などの音声情報を内蔵メモリにあらかじめ保存しておき、これらの保存データを用いて予約設定を行う。予約設定後、記録再生装置は伝送されてくる番組の画像、音声データをそれぞれ画像認識、音声認識機能を用いて参照分析し、内蔵メモリに保存された画像、音声情報と一致した場合ないしそれに近い情報が現れた場合に録画を開始する。
【００４４】
したがって、本発明の実施形態は次のような構成、機能乃至作用を奏するものを含むものである。即ち、装置の内蔵メモリに記録したい目的のデータ情報が入っている記録予約検索情報を入力し、内蔵されたデータ分析手段を使用して入力データを分析して設定された前記予約検索情報と合致或いは近似した入力データが入力された場合に記録を開始する手段を設けることで、目的のデータ情報のみを確実に記録メディアに記録することができる記録再生装置である。
【００４５】
また、前述した記録予約検索情報が画像データであり、前述したデータ分析手段が画像認識分析手段である場合に、入力データから画像データを取り出して分析し、記録予約検索情報の画像データと合致した画像乃至近似した画像が入力された場合に記録を開始する手段を設けることで、目的の画像が現れるデータを確実に記録メディアに記録することができる記録再生装置である。
【００４６】
また、前述した記録予約検索情報が音声データであり、前述したデータ分析手段が音声認識分析手段である場合に、入力データから画像データを取り出して分析し、記録予約検索情報の画像データと合致した音声乃至近似した音声が入力された場合に記録を開始する手段を設けることで、目的の音声が現れるデータを確実に記録メディアに記録することができる記録再生装置である。
【００４７】
また、画像データないし音声データを複数組み合わせて前述した記録予約検索情報として使用することにより、或いは画像データと音声データを組み合わせて前述した記録予約検索情報として使用することにより、例えばそれらがすべて現れる放送データを記録メディアに記録したい場合（検索情報としての画像データ及び／又は音声データの全てが放送データと一致又は近似する場合に放送データを記録する場合）などに使用すれば、より確実に目的の放送データを記録することができる
また、上記内蔵メモリを外部より取り外し可能な、例えばＩＣカード、或いは光磁気ディスクなどのメディアなどにすることによって持ち運び可能となり、本記録再生装置から離れた場所でも検索データの取り込みが可能である。更に、例えばインターネットから前記予約検索情報を取り込む手段、或いは外部のパソコンやディジタルカメラなどから前記予約検索情報を取り込む手段を設けることでさまざまな予約検索情報を入力、使用することが可能となる。
【００４８】
また、既に記録された記録メディアをドライブに入力し、そこから前記予約検索情報を取り込む手段を設けることで様々な予約検索情報を入力、使用することが可能となり、さらに記録した情報に関連したデータを容易かつ確実に記録メディアに記録できる。
【図面の簡単な説明】
【００４９】
【図１】本発明の実施形態に係る、画像認識及び／又は音声認識によって録画予約が可能である記録再生装置の内部構成を示すブロック図である。
【図２】本実施形態に関する検索データ格納のための処理メニュー画面の一例を示す図である。
【図３】本実施形態に関する検索データを取り出すためのメニュー画面の一例を示す図である。
【図４】本実施形態に関する録画予約をする場合の処理メニュー画面の一例を示す図である。
【図５】本実施形態に関する録画予約設定入力において、画像データを入力する際に用いられるメニュー画面の一例を示す図である。
【図６】本実施形態に関する録画予約設定入力において、画像データを入力した際に確認画面として用いられる画面の一例を示す図である。
【図７】本実施形態に関する録画予約設定入力において、設定確認画面として用いられる画面の一例を示す図である。
【図８】本実施形態に関する録画予約設定入力において、音声データを入力する際に用いられるメニュー画面の一例を示す図である。
【符号の説明】
【００５０】
１  ディスクドライブ部
２  エンコード部
３  デコード部
４  マイコン部
５  データインターフェース部
６  データエンコード部
７  データフォーマッタ部
８  データデフォーマッタ部
９  データデコード部
１０  表示設定部
１１  再生データ出力インターフェース
１２  ＭＰＵ（マイクロコンピュータ）
１３  時刻設定部
１４  予約設定部
１５  表示画像信号処理部
１６  画像認識処理部
１７  音声認識処理部
１８  データ比較認識部
１９  検索データ格納メモリ
２０  キー入力部
２１  検索データ入力Ｉ／Ｆ部
２２  モデム部
２３  データ記録セレクタ
【図１】
2005065039.tif 000003
【図２】
2005065039.tif 000004
【図３】
2005065039.tif 000005
【図４】
2005065039.tif 000006
【図５】
2005065039.tif 000007
【図６】
2005065039.tif 000008
【図７】
2005065039.tif 000009
【図８】
2005065039.tif 000010